(57)【要約】      （修正有）【課題】ボルト等を挿通させる孔位置を合わせるのが容易となされ、取り付けに係わる作業を簡便なものとできる手摺支柱及び手摺装置を提供する。【解決手段】上部支柱１の外面に上下方向に連続した凹溝４が設けられていることで、挿通子３を取付孔５に挿通していない状態で貫通孔６に挿通すれば、上部支柱１の下部支柱２への取付時や、上部支柱１の高さ調整時において、凹溝４が挿通子３のガイドとなって上部支柱１の上下方向への移動を妨げることなく上部支柱１の左右方向へのズレが抑えられ、挿通子３と取付孔５との左右方向Ｙ１での位置ズレが生じることがなく、上下方向のみの位置合わせで取り付けを行うことが可能となり、貫通孔６と取付孔５との孔位置を合わせるのが容易となり、取り付けに係わる作業を簡便なものとできる。【選択図】図３
2007162396.tif 000002
【特許請求の範囲】
【請求項１】
中空部を備えた中空状の下部支柱と、前記中空部に嵌挿自在となされた上部支柱と、下部支柱に設けられた貫通孔と上部支柱に設けられた取付孔とに挿通される挿通子とを備え、前記取付孔が複数設けられることで上部支柱の高さが調整可能となされた手摺支柱であって、上部支柱の外面に上下方向に連続した凹溝が設けられ、該凹溝の底部に前記取付孔が設けられていることを特徴とする手摺支柱。
【請求項２】
前記挿通子は、少なくとも一部にねじ山が螺刻され、該ねじ山が前記貫通孔に螺着されるようになされると共に、挿通子を貫通孔にねじ込むことで、挿通子に設けられた押さえ部により、取付孔内に設けられた受け部が押されて上部支柱の外面が下部支柱の内面に圧接されるようになされていることを特徴とする請求項１に記載の手摺支柱。
【請求項３】
前記下部支柱は、上端に合成樹脂製のキャップが取り付けられ、該キャップに下部支柱の内面と上部支柱の外面との間に挟持されるスペーサー部が設けられ、該スペーサー部に内側へ向かって付勢力を有するバネ部が一体に設けられていることを特徴とする請求項１又は２に記載の手摺支柱。
【請求項４】
請求項１〜３のいずれかに記載の手摺支柱の上部支柱に手摺部材が取り付けられて形成されていることを特徴とする手摺装置。
【発明の詳細な説明】
【技術分野】
【０００１】
本発明は、玄関前のアプローチや階段などに主として設置される支柱の手すりの支柱に関し、特に使用者の体格に合わせて手すりの高さを調節することが容易な手摺支柱及び手摺装置に関するものである。
【背景技術】
【０００２】
高さの調整方法を可能とした手摺支柱は、種々の技術が開示されてきているが、例えば、裏側にはスラブ上に保持される脚部が形成され且つ上側には該スラブ上に立設されるアンカーボルトが余裕を持って通過できる第一拡大孔を有する凹球面が形成された基台部材と、該基台部材の該凹球面に対応して載置される凸球面に該アンカーボルトが余裕を持って通過できる第二拡大孔が形成された底板部から両側板部が立上がるブラケット部材と、該第二拡大孔より大径で該アンカーボルトを通過させた該ブラケット部材の該底板部上に載置される設置座金と、該設置座金上で該アンカーボルトを締付ける締付ナットと、該ブラケット部材の該両側板部に外嵌して高さ位置調節自在に取付けられる閉鎖断面材の支柱部材とよりなる支柱立設装置が開示されている（例えば特許文献１）。
【０００３】
【特許文献１】特開平１１−８１４４７号公報
【発明の開示】
【発明が解決しようとする課題】
【０００４】
しかしながら、特許文献１に記載のような従来の手摺支柱では、ベース部材とブラケット部材との長孔を介したボルトによる結合であり、ベース部材とブラケット部とのボルト孔を合わせてボルトとナットとを螺合する場合、上下方向は長孔であることから孔位置を合わせるのは容易であるものの、ベース部材とブラケット部との隙間が大きい場合や、双方が円柱状の場合には、左右方向の孔位置を合わせるのが困難となり、取り付けの際に繁雑な手間を要するものであった。
【０００５】
本発明は上記の如き課題に鑑みてなされたものであり、ボルト等を挿通させる孔位置を合わせるのが容易となされ、取り付けに係わる作業を簡便なものとできる手摺支柱及び手摺装置を提供せんとするものである。
【課題を解決するための手段】
【０００６】
上記目的を達成するため、本発明は以下のような構成としている。すなわち、本発明に係わる手摺支柱は、中空部を備えた中空状の下部支柱と、前記中空部に嵌挿自在となされた上部支柱と、下部支柱に設けられた貫通孔と上部支柱に設けられた取付孔とに挿通される挿通子とを備え、前記取付孔が複数設けられることで上部支柱の高さが調整可能となされた手摺支柱であって、上部支柱の外面に上下方向に連続した凹溝が設けられ、該凹溝の底部に前記取付孔が設けられていることを特徴とするものである。
【０００７】
本発明に係わる手摺支柱によれば、上部支柱の外面に上下方向に連続した凹溝が設けられていることで、挿通子を取付孔に挿通していない状態で貫通孔に挿通すれば、上部支柱の下部支柱への取付時や、上部支柱の高さ調整時において、凹溝が挿通子のガイドとなって上部支柱の上下方向への移動を妨げることなく上部支柱の左右方向へのズレが抑えられ、挿通子と取付孔との左右方向での位置ズレが生じることがなく、上下方向のみの位置合わせで取り付けを行うことが可能となり、貫通孔と取付孔との孔位置を合わせるのが容易となり、取り付けに係わる作業を簡便なものとできる。
【０００８】
また前記挿通子は、少なくとも一部にねじ山が螺刻され、該ねじ山が前記貫通孔に螺着されるようになされると共に、挿通子を貫通孔にねじ込むことで、挿通子に設けられた押さえ部により、取付孔内に設けられた受け部が押されて上部支柱の外面が下部支柱の内面に圧接されるようになされていれば、挿通子を貫通孔にねじ込むことで、挿通子による固定に加え、圧接による固定が行われることで、上部支柱の固定強度の向上及びガタツキの防止を図ることができ好ましい。
【０００９】
また前記下部支柱は、上端に合成樹脂製のキャップが取り付けられ、該キャップに下部支柱の内面と上部支柱の外面との間に挟持されるスペーサー部が設けられ、該スペーサー部に内側へ向かって付勢力を有するバネ部が一体に設けられていれば、上部支柱の下部支柱への嵌挿時にスペーサー部により隙間が塞がれると共に、バネ部の内側への付勢力により上部支柱が把持されて、上部支柱のガタツキの発生を抑制することができ、更には合成樹脂を用いることで他の材料を用いた場合よりもスペーサー部におけるフィット感が得られやすくなり好ましい。
【００１０】
また、本発明に係わる手摺装置は、請求項１〜３のいずれかに記載の手摺支柱の上部支柱に手摺部材が取り付けられて形成されていることを特徴とするものである。
【００１１】
本発明に係わる手摺装置によれば、上部支柱の高さ調整が可能となされることで、手摺部材の取付位置が使用者の体格に合わせて手摺部材の高さを調節することが容易となり、且つ取り付けに係わる作業が簡便となされた手摺装置とすることができる。
【発明の効果】
【００１２】
本発明に係わる手摺支柱によれば、上部支柱の外面に上下方向に連続した凹溝が設けられていることで、挿通子を取付孔に挿通していない状態で貫通孔に挿通すれば、上部支柱の下部支柱への取付時や、上部支柱の高さ調整時において、凹溝が挿通子のガイドとなって上部支柱の上下方向への移動を妨げることなく上部支柱の左右方向へのズレが抑えられ、挿通子と取付孔との左右方向での位置ズレが生じることがなく、上下方向のみの位置合わせで取り付けを行うことが可能となり、貫通孔と取付孔との孔位置を合わせるのが容易となり、取り付けに係わる作業を簡便なものとできる。
【００１３】
また本発明に係わる手摺装置によれば、上部支柱の高さ調整が可能となされることで、手摺部材の取付位置が使用者の体格に合わせて手摺部材の高さを調節することが容易となり、且つ取り付けに係わる作業が簡便となされた手摺装置とすることができる。
【発明を実施するための最良の形態】
【００１４】
本発明に係わる最良の実施の形態について、図面に基づき以下に具体的に説明する。
【００１５】
図１は、本発明に係わる手摺支柱の、実施の一形態を示す正面図である。手摺支柱１０は、中空状の下部支柱２に嵌挿自在に上部支柱１が嵌着され、上部支柱１はねじである二体の挿通子３により下部支柱２に対して固定されている。下部支柱２は、ベースプレートＰから上方に突設されたサヤ管Ｓが下端付近に挿通されてビスＢ１により固定され、ベースプレートＰがアンカーボルトＢ２により地表Ｇに固定されて立設されているものである。上部支柱１は、挿通子３が挿通される側に上下方向に連続して凹溝４が設けられ、凹溝４の底部に取付孔５が設けられている。下部支柱２の上端には、合成樹脂製のキャップ７が取り付けられている。手摺支柱１０の上端には取付部１０１が設けられ、この取付部１０１を用いて手摺部材が取り付けられる。
【００１６】
図２は、挿通子３が取り付けられた部位の横断面図である。上部支柱１及び下部支柱２はいずれもアルミニウム合金の押出形材から断面略円形状に形成されたもので、下部支柱２の内部には中空部２１が備えられ、中空部２１に上部支柱１が嵌挿されている。上部支柱１の内面には二箇所のビスホール１１が設けられ、下部支柱２の内面には四箇所のビスホール２２が設けられている。上部支柱１の外径は、ビスホール２２間の隙間より稍々小さくなされて、大きなガタツキが生じない程度に下部支柱２に遊嵌されるようになされている。挿通子３は、根本部分の外周にねじ山が形成されてねじ部３１となされ、円柱状の棒状部３２及び先端部分は凸形状となされて突起部３３が設けられている。ねじ部３１は、貫通孔６のねじ山に螺着可能となされ、棒状部３２の直径は、凹溝４の幅より稍々小さくなされて凹溝４に挿通自在となされ、棒状部３２は凹溝４の底部４１に設けられた取付孔５の径より大きくなされ、突起部３３のみ取付孔５に挿通可能となされている。突起部３３が取付孔５に挿通されることで、挿通子３が取付孔５及び貫通孔６に挿通されて、上部支柱１が下部支柱２に取り付けられる。
【００１７】
例えばここで、図３に示す如く、突起部３３が取付孔５から脱離した状態で挿通子３が貫通孔６に挿通されている状態では、挿通子３が取付孔５に挿通されていないことから上部支柱１は下部支柱２に対して固定されていない状態となるが、凹溝４に棒状部３２が嵌着された状態となっていることから、上部支柱１が下部支柱２に対して左右方向である図中矢印Ｙ１の方向にずれることがなく、また凹溝４が上下方向に連続していることから、凹溝４に棒状部３２が嵌着されていても上下方向１への移動を妨げることがない。例えば一旦固定した上部支柱１の取付高さを変更する場合など、突起部３３が取付孔５から脱離し且つ棒状部３２が凹溝４から抜けない程度に挿通子３を緩め、上部支柱１を所望の高さに移動させた上で再び突起部３３が取付孔５に挿通されるように挿通子３をねじ込むことで、取付孔５と貫通孔６との孔位置を、少なくとも左右方向には全く合わせる必要がなく挿通子３を挿通させることができ、上部支柱１の取付高さの変更は極めて簡便に行うことができ得る。また下部支柱２に新たに上部支柱１を取り付ける場合にも、下部支柱２の中空部２１に上部支柱１を嵌挿し、挿通子３を突起部３３が取付孔５に挿通されず且つ凹溝４に棒状部３２が嵌着される程度にねじ込んだ状態として、上部支柱１を所望の高さに合わせた上で突起部３３を取付孔５に挿通させることで簡便に取り付けを行うことができる。
【００１８】
上部支柱１を形成する材料は、凹溝４や取付孔５が形成可能な棒状体であれば特に限定されるものではないが、手摺として利用者の体重等に由来するあらゆる方向からの荷重に耐えうるものとするために鉄鋼、アルミニウム、ステンレス、チタン、亜鉛等の金属材料を用いるのが好ましく、更には上下方向に連続して凹溝４のような複雑な断面を形成可能な押出形材を用いるのが好ましく、上述の実施形態の如くアルミニウムやその合金を用いた押出形材を好適に用いることができる。また中空である必要はなく、必要に応じて中実体やリブの入ったものを用いることができる。
【００１９】
下部支柱２を形成する材料は、上部支柱１と同様の金属材料を用いて形成するのが好ましいが、上部支柱１を嵌挿自在とできる中空部２１が形成されていればよく、ビスホール２２等複雑な断面形状が必要でなければ汎用の金属管などを用いて形成することもできる。
【００２０】
挿通子３は、上述の実施形態の如く、ねじ山が設けられた貫通孔６に螺着可能なねじ部３１を備えた棒状体が好ましいが、これに限定されるものではなくビス、ボルト、リベット等の締結手段や、差しピンなどを用いることもできる。また上述の実施形態においては上部支柱１及び下部支柱２の一方の側壁にのみ挿通子３を挿通しているが、強度等の必要に応じて両側の側壁に挿通子３を挿通させてもよい。
【００２１】
図４は、図２における取付孔５付近の拡大断面図であるが、挿通子３は先端付近が凸形状となされることで、突起部３３周辺に押さえ部３４が設けられ、凹溝４の底部４１の取付孔５が設けられた以外押さえ部３４と当接する部位が受け部４２となされている。挿通子３がねじ部３１及び貫通孔６のねじ山を用いてねじ込まれると、挿通子３は貫通孔６が設けられた手前側と反対側の方向である矢印Ｙ２の方向に押し込まれる。すると押さえ部３４により受け部４２が同じく矢印Ｙ２の方向に押されることで、上部支柱１全体が矢印Ｙ２の方向に押されて、上部支柱１の外面が下部支柱２の内面、すなわち図２に示したビスホール２２に圧接され、上部支柱１の固定強度の向上及びガタツキの防止を図るようになされている。
【００２２】
図５は、キャップ７の詳細を示すもので、（ａ）はキャップ単独での斜視図、（ｂ）及び（ｃ）はキャップ７への上部支柱の取り付け状態を示す縦断面図である。まず（ａ）において、キャップ７は合成樹脂を射出成形して形成したもので、上部支柱１が挿通可能な中空部７３と、中空部７３を囲んで設けられたスペーサー部７１と、スペーサー部７１と一体に三箇所に設けられたバネ部７２と、更にスペーサー部７１と一体に設けられ凹溝４部分を塞ぐ溝塞ぎ部７４とを備えたものである。また外周面の上半分はテーパー面７５となされている。またテーパー面７５の下方には、下部支柱２への取付用の段差部７６が設けられている。
【００２３】
次に（ｂ）は、下部支柱２に取り付けられ、上部支柱１が嵌挿される前の状態を示す縦断面図である。下部支柱２の上端部に段差部７６が嵌着されて取り付けられ、中空部７３は上部支柱１の外径と略同一となされてその内面がスペーサー部７１となされている。スペーサー部７１の下方に内側に折り曲げられたバネ部７２が一体に突出されて形成されている。かかるキャップ７の中空部７３に上部支柱１を下端から下方である矢印Ｙ３の方向に挿入すると、（ｃ）に示す如くスペーサー部７１内側に上部支柱１が略隙間なく配置されて、下部支柱２と上部支柱１との隙間がスペーサー部７１により塞がれるが、内側に折り曲げられたバネ部７２も鉛直方向に押し広げられる。ここで、スペーサー部７１により上部支柱１と下部支柱２との隙間が塞がれることで上部支柱１のガタツキが抑えられるが、更にバネ部７２は押し広げられることで内側である矢印Ｙ４の方向に付勢力が働き、この付勢力によって上部支柱１が把持されて上部支柱１のガタツキを抑制することができ、また上部支柱１が下部支柱２に遊嵌されていても、キャップ７により急激に滑り落ちるのが防止でき、把持する力を高めれば上下方向の位置決めの際の仮り止めをキャップ７により行うこともできる。更にまたバネ部７２は内側に折り曲げられているが、下方に突設されているので、上部支柱１の挿入の妨げとなりにくくなされている。
【００２４】
またスペーサー部７１は、上方が上部支柱１の外面に向かって傾斜しているテーパー面７５となされていることで、外径の異なる上部支柱１と下部支柱２との間に介在するキャップ７が外径の相違による視覚的な段差を緩和して、連続感を生じさせることで美観が高められている。
【００２５】
図６は、キャップ７におけるバネ部７２の他の例を示す縦断面図で、（ａ）が上部支柱１の挿入前、（ｂ）が上部支柱１の挿入後である。まず（ａ）において、バネ部７２は先の実施形態と同様に、スペーサー部７１から下方に突設され、内側に折り曲げられて形成されているが、バネ部７２の下端付近に外側へ向かって張り出した膨出部７２１が設けられている。このキャップ７に上部支柱７が嵌着されると、（ｂ）に示す如く上部支柱１の外面と下部支柱２の内面との間で膨出部７２１が圧縮されて、更に矢印Ｙ４方向への付勢力を高めることができる。
【００２６】
キャップ７を形成する材料としては、設けられたバネ部７２により付勢力が生じる合成樹脂であれば特に限定されるものではないが、バネ部７２等を一体に設けることで複雑な形状となることから射出成形により形成するのが好適であり、射出成形によく用いられるポリエチレン、ポリプロピレン、ＡＢＳ樹脂、ＡＡＳ樹脂、ポリ塩化ビニル樹脂等の熱可塑性合成樹脂を好適に用いることができる。
【００２７】
図７は、本発明に係わる手摺装置の、実施の一形態を示す説明図である。階段Ｔ付近に手摺支柱１０が立設され、手摺支柱１０の取付部１０１にブラケット３０が取り付けられ、更にブラケット３０に手摺部材２０が取り付けられて手摺装置が形成されている。ブラケット３０は、首長の形状となされることで手摺の利用者Ｍの手が当たりにくいようになされている。手摺部材２０の屈曲部には、自在な方向に屈曲可能な継手部材４０が用いられている。手摺支柱１０は、上述の実施形態に示した如き本発明に係わる手摺支柱１０であるが、上部支柱１及び下部支柱２の一方の側壁に挿通子３を挿通して取り付け、且つ挿通子３及び凹溝４が手摺の利用者Ｍの歩行する側と反対側に向けられていることで、利用者Ｍからは凹溝４や挿通子３の頭部などが視認されず、美観が高められたものとなっている。
【００２８】
一般に、地表からの手摺部材２０上面までの高さは６５０〜９００ｍｍ程度であるが、その範囲に応じて、上部支柱１の凹溝４や、取付孔５の設けている範囲を設定することで、あらゆる設置状況に対応して設置が可能となり得る。例えば二体の挿通子３（貫通孔６）を間隔を開けて設け、その間隔を均等割りした間隔にて取付孔５を等間隔に設けておくことで、取付孔５の間隔刻みでの高さ調整が可能となる。具体的に数値を挙げると、二体の挿通子３（貫通孔６）の間隔が５０ｍｍの場合、取付孔５間の間隔を５０ｍｍ間隔としておけば５０ｍｍ刻みでの高さ調整が可能となり、１２．５ｍｍ間隔としておけば１２．５ｍｍ刻みでの高さ調整が可能となる。また上記の６５０〜９００ｍｍの範囲に対応しようとする場合、一番上の取付孔５を用いて上部支柱１を取り付けた場合の手摺部材２０の高さを６５０ｍｍとしておき、一番上の取付孔５から一番下の取付孔５まで、高さ調整が必要な範囲に二体の挿通子３（貫通孔６）の間隔を加えた長さである３００ｍｍとしておくことで、９００ｍｍまで取付孔５の間隔刻みで容易に高さ調整をすることができる。また取付孔５と貫通孔６との位置合わせが容易であるから、手摺部材２０の高さの調整を簡便に行うことが可能な手摺装置を得ることができる。
【図面の簡単な説明】
【００２９】
【図１】本発明に係わる手摺支柱の、実施の一形態を示す正面図である。
【図２】図１に示した手摺支柱の、挿通子付近の横断面図である。
【図３】図１に示した手摺支柱の、挿通子付近の横断面図である。
【図４】図２の、取付孔付近を拡大した横断面図である。
【図５】本発明に係わる手摺支柱に用いられるキャップの、実施の一形態を示す説明図である。
【図６】キャップにおけるバネ部の、他の例を示す縦断面図である。
【図７】本発明に係わる手摺装置の、実施の一形態を示す説明図である。
【符号の説明】
【００３０】
１    上部支柱
２    下部支柱
２１  中空部
３    挿通子
３１  ねじ部
３４  押さえ部
４    凹溝
４１  底部
４２  受け部
５    取付孔
６    貫通孔
７    キャップ
７１  スペーサー部
７２  バネ部
１０  手摺支柱
２０  手摺部材
【図１】
2007162396.tif 000003
【図２】
2007162396.tif 000004
【図３】
2007162396.tif 000005
【図４】
2007162396.tif 000006
【図５】
2007162396.tif 000007
【図６】
2007162396.tif 000008
【図７】
2007162396.tif 000009